【手続補正書】
【提出日】平成25年12月10日(2013.12.10)
【手続補正１】
【補正対象書類名】明細書
【補正対象項目名】０００８
【補正方法】変更
【補正の内容】
【０００８】
上記目的を達成するための、本発明のレンズシステムは、レンズ群と、該レンズ群を光軸方向に駆動する駆動部であって、駆動のための最大電流値として第１の最大電流値と該第１の最大電流値よりも大きい第２の最大電流値のいずれかが設定できる駆動部と、該レンズ群の光軸方向の位置を検出する検出器と、該レンズ群の光軸方向への駆動を操作するレンズ操作部と、該レンズ操作部から入力された信号に基づいて該レンズ群を駆動制御するための指令値を演算し、該レンズ群の駆動を制御する演算装置と、該駆動部に最大電流値として該第２の最大電流値が継続して設定されている時間を測定するタイマーと、を有し、前記演算装置は、前記指令値とレンズ位置の差が所定の閾値より大きく、かつ、前記タイマーで測定された時間が、最大電流値として前記第２の最大電流値が継続して設定され得る所定の最大時間である、所定の大電流上限時間を経過していない場合は、該駆動部に最大電流値として該第２の最大電流値を設定し、前記タイマーで測定された前記時間が前記所定の大電流上限時間を経過した場合は、該駆動部に最大電流値として該第１の最大電流値を設定する、ことを特徴とする。
【手続補正２】
【補正対象書類名】明細書
【補正対象項目名】００１３
【補正方法】変更
【補正の内容】
【００１３】
本実施例のレンズシステムは、レンズ群１と、レンズ群１を駆動するための駆動部であるモータ２と、レンズ群１の光軸方向の位置を検出するための位置検出器３を有する。レンズシステムは、さらにモータ２を駆動するための駆動信号を生成する駆動回路５と、モータ２の駆動を制御するための演算を行う演算装置６とを有する。演算装置６は、操作者が行う、駆動対象となるレンズ群１の駆動対象量に応じたレンズ操作部７の操作に応じて、レンズ操作信号を出力する。駆動電流回路４は、駆動回路５からの駆動信号に基づいて、モータ２に駆動電流を供給する。駆動電流回路４は、演算装置６からの選択信号に基づいて、モータ２へ供給し得る最大電流制限値として、標準状態である第１の最大電流値と標準状態より大きい第２の最大電流値のいずれかを設定することができる。大電流上限時間設定部８は、駆動電流回路４に、最大電流制限値として標準状態より大きい第２の最大電流値を継続して設定することができる時間の上限値（大電流上限時間）を設定する。インターバル時間設定部９は、駆動電流回路４の最大電流制限値が、標準状態より大きい第２の最大電流値から標準状態である第１の最大電流値に変更されてから、第２の電流制限値への変更を許可するまでに必要な最低時間（インターバル時間）を設定する。位置差閾値設定部１０は、駆動電流回路４に標準状態よりも大きい第２の最大電流値を最大電流制限値として設定するための判断の１つとして、演算装置６で使用される後述の位置差閾値を設定する。
【手続補正３】
【補正対象書類名】明細書
【補正対象項目名】００２４
【補正方法】変更
【補正の内容】
【００２４】
ステップＳ１０７では、駆動電流回路４の最大電流制限値を標準状態より大きい第２の最大電流値に設定した後、ステップＳ１０８へ進み、駆動電流回路４の最大電流制限値が第２の最大電流値に設定されてからの時間を測定する電流増加タイマーの計測値を更新し、ステップＳ１０１へ戻る。
【手続補正４】
【補正対象書類名】明細書
【補正対象項目名】００３０
【補正方法】変更
【補正の内容】
【００３０】
以下、図４を参照して、演算装置６で行われるソフトウェア処理のフローについて説明する。この第２の実施例においても第１の実施例と同様に演算装置６では予め決められた時間毎にステップＳ２０１以下の一連の処理を繰り返し行う。
【手続補正５】
【補正対象書類名】明細書
【補正対象項目名】００３６
【補正方法】変更
【補正の内容】
【００３６】
ステップＳ２０７では、速度差が駆動電流回路４の最大電流制限値を標準値より大きい第２の最大電流値に設定するに足る条件であることを示す速度差電流増加フラグをセットしステップＳ２０９へ進む。同様に、ステップＳ２０８では速度差が電流制限値を増加させる必要のない条件であるため、速度差電流増加フラグをクリアしてステップＳ２０９へ進む。
【手続補正６】
【補正対象書類名】明細書
【補正対象項目名】００３７
【補正方法】変更
【補正の内容】
【００３７】
ステップＳ２０９において、電流制限動作設定部２０９の設定状態を判断しフローを分岐する。電流制限動作設定部２０９の設定が、位置差電流増加フラグと速度差電流増加フラグをＡＮＤで判断する設定となっている場合は、ステップＳ２２１へ進み、ＯＲで判断する設定となっている場合は、ステップＳ２１０へ進む。ステップＳ２１０では、位置差電流増加フラグと速度差電流増加フラグの双方がクリアされている場合はステップＳ２１８に移行し、いずれかがクリアされていない場合はステップＳ２１１に移行する。また、ステップＳ２２１では、位置差電流増加フラグと速度差電流増加フラグの双方がセットされている場合はステップＳ２１１に移行し、いずれかがセットされていない場合はステップＳ２１８に移行する。
【手続補正７】
【補正対象書類名】明細書
【補正対象項目名】００５５
【補正方法】変更
【補正の内容】
【００５５】
ステップＳ３０３においては、ズーム位置差がズーム駆動電流回路３１４に最大電流制限値として標準状態より大きい第２の最大電流値を設定する条件であることを示すズーム位置差電流増加フラグをセットし、ステップＳ３０５へ進む。同様にステップＳ３０４ではズームレンズ位置差がズーム駆動電流回路３１４に最大電流制限値として標準状態より大きい第２の最大電流値を設定する必要のない条件であるため、ズーム位置差電流増加フラグをクリアしてステップＳ３０５へ進む。
【手続補正８】
【補正対象書類名】明細書
【補正対象項目名】００７５
【補正方法】変更
【補正の内容】
【００７５】
最後に、ステップＳ３２８あるいはステップＳ３２９から分岐したステップＳ３３５では、フォーカス駆動電流回路３０４の最大電流制限値として標準値である第３の最大電流値を設定する。次のステップＳ３３６では、演算装置３０６内部のフォーカス電流増加タイマーをクリアする。最後にステップＳ３３７では、フォーカスインターバルタイマーを更新し、一連の処理を繰り返すためステップＳ３０１へ戻る。
【手続補正９】
【補正対象書類名】明細書
【補正対象項目名】００７６
【補正方法】変更
【補正の内容】
【００７６】
以上説明した本発明のレンズシステムと、該レンズシステムが接続されレンズシステムにより結像される被写体像を撮像するカメラシステムを有する撮影システムは、カメラシステムへ影響を与えることなく、レンズシステムにおいて必要な場合にモータへ供給する電流値を増加させることが可能になるため、レンズシステムの駆動特性を改善することが可能な撮影システムを実現することができる。
【手続補正１０】
【補正対象書類名】特許請求の範囲
【補正対象項目名】全文
【補正方法】変更
【補正の内容】
【特許請求の範囲】
【請求項１】
レンズ群と、
該レンズ群を光軸方向に駆動する駆動部であって、駆動のための最大電流値として第１の最大電流値と該第１の最大電流値よりも大きい第２の最大電流値のいずれかが設定できる駆動部と、
該レンズ群の光軸方向の位置を検出する検出器と、
該レンズ群の光軸方向への駆動を操作するレンズ操作部と、
該レンズ操作部から入力された信号に基づいて該レンズ群を駆動制御するための指令値を演算し、該レンズ群の駆動を制御する演算装置と、
該駆動部に最大電流値として該第２の最大電流値が継続して設定されている時間を測定するタイマーと、
を有し、
前記演算装置は、
前記指令値とレンズ位置の差が所定の閾値より大きく、かつ、前記タイマーで測定された時間が、最大電流値として前記第２の最大電流値が継続して設定され得る所定の最大時間である、所定の大電流上限時間を経過していない場合は、該駆動部に最大電流値として該第２の最大電流値を設定し、
前記タイマーで測定された前記時間が前記所定の大電流上限時間を経過した場合は、該駆動部に最大電流値として該第１の最大電流値を設定する、
ことを特徴とするレンズシステム。
【請求項２】
前記所定の大電流上限時間を設定する時間設定部と、
前記所定の閾値を設定する閾値設定部と、
を有する、ことを特徴とする請求項１に記載のレンズシステム。
【請求項３】
前記所定の閾値は位置差閾値であり、
前記指令値は位置指令値であり、
前記演算装置は、前記駆動部の最大電流値として前記第２の最大電流値が継続して設定されている時間が前記所定の大電流上限時間を経過するか、または、前記位置指令値とレンズ位置の差が前記位置差閾値より大きくない場合は、前記駆動部に最大電流値として前記第１の最大電流値を設定する、
ことを特徴とする請求項２に記載のレンズシステム。
【請求項４】
前記所定の閾値は位置差閾値又は速度差閾値であり、
前記演算装置は、前記レンズ操作部から入力された信号に基づいて前記レンズ群を駆動制御するための速度指令値を演算し、
前記閾値設定部は、所定の位置差閾値又は所定の速度差閾値を設定し、
前記演算装置は、
前記位置指令値とレンズ位置の差が前記所定の位置差閾値より大きい場合、または、該速度指令値と駆動速度との差が前記所定の速度差閾値より大きい場合は、該駆動部に最大電流値として該第２の最大電流値を設定し、
前記タイマーによって測定された時間が前記所定の大電流上限時間を経過するか、または、該位置指令値とレンズ位置の差が前記所定の位置差閾値より大きくない場合、または、該速度指令値と駆動速度との差が前記所定の速度差閾値より大きくない場合は、該駆動部に最大電流値として該第１の最大電流値を設定する、
ことを特徴とする請求項２に記載のレンズシステム。
【請求項５】
前記時間設定部で設定される前記大電流上限時間は、前記レンズシステムが接続されるカメラシステムに応じて、該レンズシステムにて変更できることを特徴とする請求項３又は４に記載のレンズシステム。
【請求項６】
前記時間設定部は、該駆動部の最大電流値の設定が前記第２の最大電流値から前記第１の最大電流値に変更してから再び該第２の最大電流値を設定することができる最低の時間であるインターバル時間を設定し、
前記駆動部の最大電流値を、前記第２の最大電流値から前記第１の最大電流値に変更した場合、該変更から該インターバル時間を経過した後にのみ該第２の最大電流値に変更できる、
ことを特徴とする請求項３乃至５のいずれか１項に記載のレンズシステム。
【請求項７】
前記時間設定部で設定される前記インターバル時間は、前記レンズシステムが接続されるカメラシステムに応じて該レンズシステムにて変更できる、ことを特徴とする請求項６記載のレンズシステム。
【請求項８】
前記レンズ群は、ズーム機能を有するズームレンズ群と、フォーカス機能を有するフォーカスレンズ群を有し、
前記駆動部は、該ズームレンズ群を光軸方向に駆動するズーム駆動部であって、該駆動のための最大電流値として、第１の最大電流値又は該第１の最大電流値よりも大きい第２の最大電流値のいずれかが設定できるズーム駆動部と、該フォーカスレンズ群を光軸方向に駆動するフォーカス駆動部であって、該駆動のための最大電流値として、第３の最大電流値又は該第３の最大電流値よりも大きい第４の最大電流値のいずれかが設定できるフォーカス駆動部と、を有し、
前記検出器は、該ズームレンズ群の光軸方向の位置を検出するズーム位置検出器と、該フォーカスレンズ群の光軸方向の位置を検出するフォーカス位置検出器と、を有し、
前記レンズ操作部は、該ズームレンズ群の光軸方向への駆動を操作するズーム操作部と、該フォーカスレンズ群の光軸方向への駆動を操作するフォーカス操作部と、を有し、
該ズーム駆動部の最大電流値として該第２の最大電流値が設定されている場合は、該フォーカス駆動部の最大電流値として該第４の最大電流値を設定することができず、また、該フォーカス駆動部の最大電流値として該第４の最大電流値が設定されている場合は、該ズーム駆動部の最大電流値として該第２の最大電流値を設定することができない、
ことを特徴とする請求項３又は４に記載のレンズシステム。
【請求項９】
前記ズーム駆動部の最大電流値として前記第２の最大電流値を設定する場合には、前記フォーカス駆動部の最大電流値を前記第３の最大電流値に変更した後、該ズーム駆動部の最大電流値を前記第２の最大電流値に変更する、ことを特徴とする請求項８に記載のレンズシステム。
【請求項１０】
請求項１乃至９のいずれか１項に記載のレンズシステムと、該レンズシステムに接続され、該レンズシステムによる被写体像を撮像するカメラシステムを有する、撮影システム。